(57)【要約】【課題】ユーザの負担を低減できる丁合装置を提供する。【解決手段】丁合装置は、複数の給紙部から送り出される用紙を重ね合わせて丁合セットを作成する丁合処理を実行する。丁合装置は、各給紙部に給紙させるか否かに関する設定である使用不使用設定を含む丁合処理の実行指示の入力を受け付ける入力部と、同一の使用不使用設定に基づく一連の丁合処理ごとに分けて、作成された丁合セットの部数と用紙を送り出した給紙部とに関する情報を含む丁合実績情報を出力する出力制御部と、を備える。【選択図】図１５
2017178518.tif 000002
【特許請求の範囲】
【請求項１】
複数の給紙部から送り出される用紙を重ね合わせて丁合セットを作成する丁合処理を実行する丁合装置であって、
各給紙部に給紙させるか否かに関する設定である使用不使用設定を含む丁合処理の実行指示の入力を受け付ける入力部と、
同一の使用不使用設定に基づく一連の丁合処理ごとに分けて、作成された丁合セットの部数と用紙を送り出した給紙部とに関する情報を含む丁合実績情報を出力する出力制御部と、を備えることを特徴とする丁合装置。
【請求項２】
前記出力制御部は、同一の実行指示に基づく一連の丁合処理ごと、かつ、同一の使用不使用設定に基づく一連の丁合処理ごとに分けて、丁合実績情報を出力することを特徴とする請求項１に記載の丁合装置。
【請求項３】
実行指示には、使用不使用設定に加え、作成すべき丁合セットの部数である要丁合部数が含まれることを特徴とする請求項１または２に記載の丁合装置。
【請求項４】
前記入力部は、順次実行される複数の実行指示を受け付けることを特徴とする請求項３に記載の丁合装置。
【請求項５】
前記入力部は、実行指示に基づく丁合処理の実行中に、その丁合処理の中止指示の入力を受け付け、
前記出力制御部は、中止指示を受けて要丁合部数の丁合セットの作成が完了する前に丁合処理が中止された場合、中止されるまでの一連の丁合処理の丁合実績情報を出力することを特徴とする請求項３または４に記載の丁合装置。
【請求項６】
前記入力部は、給紙部ごとに要丁合部数よりも少ない部数である半端部数を設定するための入力を受け付け、
半端部数が入力された給紙部は、丁合指示に基づく丁合処理の開始から作成された丁合セットの部数が半端部数に到達するまで給紙し、それ以降の給紙を行わないか、または要丁合部数に到達するまでの残り部数が半端部数と同じになるまで給紙せず、それ以降に給紙し、
前記出力制御部は、半端部数が設定された給紙部が給紙している間と給紙していない間とで丁合実績を分けて出力することを特徴とする請求項３から５のいずれかに記載の丁合装置。
【請求項７】
前記入力部は、要丁合部数を含まない実行指示に基づく丁合処理の実行中に、その丁合処理の中止指示の入力を受け付け、
前記出力制御部は、実行指示に基づく丁合処理が開始されてから中止されるまでの一連の丁合処理において作成された丁合セットの部数と用紙を送り出した給紙部とを、その実行指示に基づく丁合処理の丁合実績情報として出力することを特徴とする請求項１または２に記載の丁合装置。
【請求項８】
前記入力部は、給紙部ごとに割合の入力を受け付け、
割合が入力された給紙部は、当該給紙部に積載されている用紙が、作成される丁合セットの部数のうちの実質的に当該割合分の部数に含まれるよう間引いて給紙し、
前記出力制御部は、割合と、その割合が入力された給紙部とに関する情報を含む丁合実績情報を出力することを特徴とする請求項１から７のいずれかに記載の丁合装置。
【請求項９】
前記複数の給紙部の少なくとも１つの給紙部は、用紙が積載されているか否かを検知する用紙有無検知手段を含み、
前記入力部は、前記少なくとも１つの給紙部ごとに、用紙無しが検知された場合に丁合処理を停止することなく、または用紙無しが検知された場合に丁合処理を一旦停止し、所定の再開操作がなされると、用紙無しが検知された給紙部以外の給紙部から給紙を行って丁合セットを作成する紙無し非停止設定の入力を受け付け、
前記出力制御部は、紙無し非停止設定がなされた給紙部のうちのいずれかの給紙部で用紙無しが検知された場合、用紙無しが検知される前と用紙無しが検知された以降とで丁合実績情報を分けて出力することを特徴とする請求項１から８のいずれかに記載の丁合装置。
【請求項１０】
前記入力部は、前記複数の給紙部のそれぞれに積載されるべき用紙を識別する用紙識別情報の入力を受け付け、
前記出力制御部は、作成された丁合セットの部数と用紙を送り出した給紙部とに関する情報に加え、用紙を送り出した給紙部に積載されるべき用紙の用紙識別情報を含む丁合実績情報を出力することを特徴とする請求項１から９のいずれかに記載の丁合装置。
【請求項１１】
連段グループに設定された給紙部は、連段グループのうちのいずれか１つの給紙部が用紙を送り出し、その給紙部の用紙が無くなった場合、連段グループのうちの用紙が積載されている他の給紙部から用紙を送り出し、
前記出力制御部は、送り出した連段グループを出力することを特徴とする請求項１から１０のいずれかに記載の丁合装置。
【請求項１２】
前記出力制御部は、丁合処理の実行中に、給紙に関する設定、または用紙識別情報の設定のいずれかが追加、削除または変更された場合、その追加、削除または変更される前と以降とで丁合実績情報を分けて出力することを特徴とする請求項１から１１のいずれかに記載の丁合装置。
【請求項１３】
前記給紙に関する情報は、使用不使用設定、連段設定、半端部数、割合の各設定のいずれかであることを特徴とする請求項１２に記載の丁合装置。
【請求項１４】
前記入力部は、実行指示に基づく丁合処理の実行中に指定部数において給紙に関する設定または用紙識別情報の設定のいずれかを変更する指示を、当該指定部数とともに予め受け付けることを特徴とする請求項１２または１３に記載の丁合装置。
【請求項１５】
前記入力部は、日付の入力を受け付け、
前記出力制御部は、入力された日付の丁合実績情報を出力することを特徴とする請求項１から１４のいずれかに記載の丁合装置。
【請求項１６】
前記出力制御部は、縦軸および横軸のいずれか一方を給紙部、他方を丁合実績情報としてそれぞれ行と列のいずれかを構成する一覧表を出力することを特徴とする請求項１から１５のいずれかに記載の丁合装置。
【請求項１７】
前記出力制御部は、同一の実行指示に基づく一連の丁合処理の丁合実績情報を分けて出力する場合、丁合実績情報を分けて出力する原因をも表示することを特徴とする請求項１から１６のいずれかに記載の丁合装置。
【発明の詳細な説明】
【技術分野】
【０００１】
本発明は、丁合装置に関する。
【背景技術】
【０００２】
新聞に挟む広告を配達単位の広告束にまとめるために丁合装置が利用されている。一般に、丁合装置は、積載部に積載された用紙を１枚ずつ送り出す給紙部を複数備え、各給紙部から送り出された用紙を搬送しながら重ねあわせることにより、広告束を作成する。
【先行技術文献】
【特許文献】
【０００３】
【特許文献１】特開２０１３−１８６０９号公報
【発明の概要】
【発明が解決しようとする課題】
【０００４】
ところで、新聞販売店では、過去の特定の日に特定の広告をどこに配布したかを、広告主の求めに応じて後日確認することがある。特定の広告をどこに配布したかを後日確認できるようにするには、その特定の広告がどの広告束に含まれていたかを確認できるようにする必要がある。丁合装置の機能が複雑化するなか、特定の広告がどの広告束に含まれていたかを確認できるようにするには、手間を掛けて丁合装置の複雑な設定メモを残しておく必要があった。これは、丁合装置のユーザの負担となる。
【０００５】
また、新聞の広告を丁合する場合に限らず、例えば製本においても、印刷、丁合、断裁等の工程の分業化が進み、各工程での作業を記録して管理する必要が生じている。この記録作業もやはり、丁合装置のユーザの負担となる。
【０００６】
本発明はこうした状況に鑑みてなされたものであり、その目的は、ユーザの負担を低減できる丁合装置の提供にある。
【課題を解決するための手段】
【０００７】
上記課題を解決するために、本発明のある態様の丁合装置は、複数の給紙部から送り出される用紙を重ね合わせて丁合セットを作成する丁合処理を実行する丁合装置であって、各給紙部に給紙させるか否かに関する設定である使用不使用設定を含む丁合処理の実行指示の入力を受け付ける入力部と、同一の使用不使用設定に基づく一連の丁合処理ごとに分けて、作成された丁合セットの部数と用紙を送り出した給紙部とに関する情報を含む丁合実績情報を出力する出力制御部と、を備える。
【０００８】
なお、以上の構成要素の任意の組み合わせや、本発明の構成要素や表現を方法、装置、システムなどの間で相互に置換したものもまた、本発明の態様として有効である。
【発明の効果】
【０００９】
本発明によれば、ユーザの負担を低減できる丁合装置を提供できる。
【図面の簡単な説明】
【００１０】
【図１】実施の形態に係る丁合装置を示す斜視図である。
【図２】丁合装置の内部構造を示す模式図である。
【図３】サブ操作部を示す拡大図である。
【図４】メイン画面を示す図である。
【図５】地区設定画面を示す図である。
【図６】地区名登録画面を示す図である。
【図７】地区別使用不使用設定一覧画面を示す図である。
【図８】広告名称割り当て画面を示す図である。
【図９】地区選択画面を示す図である。
【図１０】地区別使用不使用設定画面を示す図である。
【図１１】半端部数・割合設定画面を示す図である。
【図１２】広告名称登録画面を示す図である。
【図１３】棚設定画面を示す図である。
【図１４】制御部の機能構成を示すブロック図である。
【図１５】ログ画面を示す図である。
【図１６】ログ画面の丁合実績表示欄に表示される丁合実績情報の一例を示す。
【図１７】ログ画面の丁合実績表示欄に表示される丁合実績情報の一例を示す。
【発明を実施するための形態】
【００１１】
以下、各図面に示される同一または同等の構成要素、部材、処理には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
実施の形態に係る丁合装置の概要は以下の通りである。
実施の形態に係る丁合装置は、各給紙部に給紙させるか否かに関する設定を使用不使用設定と呼ぶとき、同一の使用不使用設定に基づく一連の丁合処理ごとに分けて、その丁合処理の内容を出力する。言い換えると、丁合処理の実行中に使用不使用設定が変更された場合も含めて、異なる使用不使用設定に基づいてなされた丁合処理の内容を分けて出力する。これにより、特定の用紙がどの丁合セットに含まれるか容易に把握できる。以下、具体的に説明する。
【００１３】
図１は、実施の形態に係る給紙部を備える丁合装置１０を示す斜視図である。図２は、丁合装置１０の内部構造を示す模式図である。丁合装置１０は、新聞販売店等において、新聞に挟む広告束を作成するために使用される。丁合装置１０は、筐体１２と、給紙部１４Ａ〜１４Ｐと、挟み用給紙部１６と、搬送機構１８と、挟み部２０と、排出部２２と、積載部２４と、メイン操作部５０と、制御部７０と、を備える。
【００１４】
給紙部１４Ａ〜１４Ｈは、筐体１２の左側面に、この順に下側から並んでいる。給紙部１４Ｉ〜１４Ｐは、筐体１２の右側面に、この順に上側から並んでいる。以下、給紙部１４Ａ〜１４Ｐをまとめていうときや、特に区別しないときには単に「給紙部１４」とよぶ。
【００１５】
給紙部１４は、筐体１２に取り外し可能に装着されている。具体的には、ユーザによって図示しないロック機構が解除されると、給紙部１４と筐体１２との係合が解除され、給紙部１４を筐体１２から取り外すことができる。このような係合方法は公知であるため説明は省略する。
【００１６】
各給紙部１４はそれぞれ、給紙トレイ２６と、用紙有無検知センサ２７と、給紙機構２８と、サブ操作部５２と、を含む。給紙トレイ２６には、複数枚の用紙（本実施の形態では広告）が重ねられた状態で積載される。給紙トレイ２６は、給紙機構２８に近づくにしたがって下がるよう傾斜している。用紙有無検知センサ２７は、本実施の形態では反射型光学センサであり、給紙トレイ２６に用紙が積載されているか否かを検知する。
【００１７】
給紙機構２８は、制御部７０からの信号に基づいて、給紙トレイ２６に積載された用紙を搬送機構１８に送り出す。以下では、給紙トレイ２６に積載された用紙のうちの最上位の用紙を送り出すことを「給紙」ともいう。給紙機構２８は特に、他の給紙部１４の給紙機構２８から送り出された用紙とメイン搬送機構３６（後述）において重なり合うようなタイミングで用紙を送り出す。
【００１８】
サブ操作部５２には所定の操作ボタンが配置される。図３は、サブ操作部５２を示す拡大図である。サブ操作部５２は、使用不使用設定ボタン５４と、連段設定ボタン５６と、を含む。使用不使用設定ボタン５４は、その給紙部１４に給紙させる（すなわちその給紙部１４を使用する）「単」設定と、その給紙部１４から給紙させない（すなわちその給紙部１４を使用しない）「停」設定とを切り替える場合に押下される。
【００１９】
連段設定ボタン５６は、その給紙部１４を「連段グループ」に含めるか否かの連段設定を切り替える場合に押下される。ここで、連段グループとは、同じグループに属する給紙部には同じ用紙が積載されていることを前提に、グループに属する給紙部をひとくくりにして制御することを許容する設定である。つまり、連段グループに含まれる複数の給紙部がひとつの給紙部として取り扱われる。具体的には、連段グループに属する複数の給紙部のうちの１つの給紙部が給紙し、その給紙部の用紙が無くなると、同じ連段グループの他の給紙部が給紙する。これにより、給紙部の用紙無しによって丁合装置１０が非稼働となる時間が発生するのを抑止できる。
【００２０】
また、本実施の形態では、使用不使用設定ボタン５４および連段設定ボタン５６の両方を実質的に同時に長押しすることにより、その給紙部１４で紙無しが検知された場合に丁合処理を停止し、用紙が補充されると丁合処理を再開可能とする「紙無し停止設定」と、その給紙部１４で紙無しが検知されても、そのまま又は一旦停止して所定の再開操作がなされると、紙無しが検知された給紙部１４以外の給紙部１４から給紙して丁合処理を継続する「紙無し非停止設定」と、を切り替えることができる。
【００２１】
図１、２に戻り、搬送機構１８は、複数のサブ搬送機構３４と、メイン搬送機構３６と、を含む。複数のサブ搬送機構３４は、各給紙部１４に対応して設けられ、対応する給紙部１４から送り出された用紙をメイン搬送機構３６に搬送する。メイン搬送機構３６は、筐体１２内を上下に延在するよう設けられる。メイン搬送機構３６は、各サブ搬送機構３４から搬送されてきた用紙を下方へ搬送する。各給紙部１４から送り出された用紙は、このメイン搬送機構３６において重なり合う。つまり、メイン搬送機構３６において丁合セットが形成される。
【００２２】
挟み用給紙部１６は、給紙部１４Ａの下方に配置される。挟み用給紙部１６は、給紙トレイ３０と、給紙機構３２と、を含む。給紙トレイ３０、給紙機構３２はそれぞれ、給紙トレイ２６、給紙機構２８と同様の構成を有する。給紙トレイ３０には、メイン搬送機構３６によって搬送されてくる用紙の束を挟むための用紙（以下、「挟み用紙」という）が積載される。給紙機構３２は、制御部７０からの信号に基づいて、給紙トレイ３０に積載された挟み用紙を挟み部２０に送り出す。
【００２３】
挟み部２０は、折り板３８と、ストッパ４０と、折りナイフ４２と、折りローラ４４と、を含む。折り板３８は、給紙部１４Ｐの下方に設けられる。挟み用給紙部１６から送り出された挟み用紙は、折り板３８上に搬送され、その先端がストッパ４０に突き当たることによって停止する。挟み用紙は特に、その中央が搬送機構１８の下方に位置した状態で停止する。メイン搬送機構３６を下降してきた用紙の束は、この挟み用紙に突き当たる。このタイミングで折りナイフ４２が下降し、挟み用紙の中央が折りローラ４４に巻き込まれて２つに折りたたまれるとともに、搬送機構１８を下降してきた用紙の束がその間に入り込む。
【００２４】
排出部２２は、搬送ベルト４６と、排出ローラ４８と、を含む。搬送ベルト４６は、挟み用紙に挟み込まれた用紙の束を排出ローラ４８に向けて搬送する。排出ローラ４８は、搬送ベルト４６によって搬送されてきた用紙の束を積載部２４に排出する。
【００２５】
筐体１２の前面側にはメイン操作部５０が設けられている。メイン操作部５０はタッチパネル式の表示部を有する。表示部には操作画面が表示され、ユーザはこの操作画面を介して、丁合セットを作成する処理（以下、「丁合処理」とも呼ぶ）に関する情報を入力する。制御部７０は、操作画面に対するユーザの入力にしたがって、給紙部１４と、挟み用給紙部１６と、搬送機構１８と、挟み部２０と、排出部２２と、を制御する。
【００２６】
図４〜１３は、メイン操作部５０の表示部に表示される操作画面を示す。これら操作画面を操作することにより、「地区カウンタモード」、「部数指定カウンタモード」、「部数無指定カウンタモード」の３つの動作モードのうちのいずれかの動作モードで当該丁合装置１０を動作させて、所望の部数の丁合セットを作成することができる。以下、図４〜１３を参照しつつ、３つの動作モードについて説明する。
【００２７】
＜地区カウンタモード＞
地区カウンタモードでは、予め登録された複数の地区のうちの１つの地区の地区名と、その地区に対応付けて登録された作成すべき丁合セットの部数（以下、「要丁合部数」と呼ぶ）とが表示部に表示され、所定のスタート操作を行うと表示されている地区の丁合処理が開始され、要丁合部数だけ丁合セットを作成して停止する。表示部には次の地区の地区名とその要丁合部数とが表示され、スタート操作を行うとその地区の丁合処理が開始され、要丁合部数だけ丁合セットを作成して停止する。登録された地区の分だけ、これが繰り返される。以下、地区カウンタモードで動作させるための操作（Ａ１〜Ａ１０）について説明する。
【００２８】
（Ａ１）地区名、要丁合部数の設定
Ａ１１：図４のメイン画面１００または他の操作画面において地区タブ９２をタッチして、図５の地区設定画面１２０を表示させる。
Ａ１２：地区パターン表示欄１２１に表示されるＰ１〜Ｐ７の７つの地区パターンからいずれかの地区パターンを選択する。Ｐ１〜Ｐ７の各地区パターンには、後述の手順の通り、それぞれ複数の地区名、要丁合部数を設定できる。ここで、例えば地方では、１つの新聞販売店が複数の新聞社の新聞を配達することがある。そして、同じ配達範囲でも新聞社によって地区分けが異なることがある。このような場合に、Ｐ１〜Ｐ７の地区パターンのそれぞれを新聞社に対応づけて使用することが考えられる。なお、Ｐ１〜Ｐ７の地区パターン名称を変更可能として、新聞社の名前を設定できるようにしてもよい。
【００２９】
Ａ１３：地区名枠１２２をタッチして、図６の地区名登録画面１４０を表示させる。
Ａ１４：地区名登録画面１４０の地区名欄１４１に登録する地区名をキーボードを使用して入力し、戻るキー１４２で図５の地区設定画面１２０に戻る。
Ａ１５：Ａ１４で入力した地区の部数枠１２３に要丁合部数を入力する。具体的には、部数枠１２３をタッチするとテンキーが表示されるので、テンキーを介して要丁合部数を入力する。
Ａ１６：必要に応じて順番枠１２４をタッチして、順番を設定する。本実施の形態では、タッチした順に順番が設定される。順番が設定されていない地区は、順番が設定された地区の丁合処理後に、地区番号順に丁合処理が実行される。
Ａ１７：設定が必要な地区の数だけＡ１３〜Ａ１６を繰り返す。
Ａ１８：設定が必要な地区パターンの数だけＡ１２〜１７を繰り返す。
【００３０】
（Ａ２）広告名称の登録
Ａ２１：図４のメイン画面１００または他の操作画面においてチラシタブ９４をタッチして、図１２の広告名称登録画面２６０を表示させる。
Ａ２２：有効地区パターン表示欄２６１に表示されるＰ１〜Ｐ７の７つの地区パターンから、広告名称を有効とする有効地区パターンを選択する。ここで、上述のように、Ｐ１〜Ｐ７の地区パターンのそれぞれを新聞社に対応づけることが考えられる。広告によっては新聞社を指定するケースがあるところ、指定された新聞社に対応する地区パターンのみ有効としておけば、誤って他の新聞社に広告を入れてしまうミスを抑止できる。
Ａ２３：参照地区パターン表示欄２６２をタッチして、Ａ２２で選択された有効地区パターンの中から１つの地区パターンを選択する。
Ａ２４：広告名称表示欄２６３に登録する広告名称をキーボードを使用して入力する。
Ａ２５：棚設定表示欄２６４にタッチして、各地区の使用不使用設定を行う。
Ａ２６：必要に応じ、要丁合部数のうちの一部の部数の丁合セットにのみ含まれるよう給紙する部分給紙の設定（すなわち部分給紙設定）を行う。本実施の形態では、部分給紙設定として、半端部数設定または割合設定を設定できる。その場合は、半端部数・割合設定表示枠２６５をタッチして、図１１の半端部数・割合設定画面２４０をポップアップ表示させ、Ａ９６（後述）の通り設定する。
【００３１】
「半端部数設定」は、要丁合部数よりも少ない半端部数を設定された給紙部が、丁合処理の前半または後半に、その半端部数分のみ給紙する設定である。より具体的には、半端部数が設定された給紙部は、丁合指示に基づく丁合処理の開始から作成された丁合セットの部数が半端部数に到達するまで給紙し、それ以降の給紙を行わないか、または要丁合部数に到達するまでの残り部数が半端部数と同じになるまで給紙せず、それ以降に給紙する。
【００３２】
「割合設定」は、割合を設定された給紙部が、間引いて給紙する設定である。より具体的には、割合が入力された給紙部は、その給紙部に積載されている用紙が、作成される丁合セットの部数のうちの実質的にその割合分の部数に含まれるよう間引いて給紙する。例えば、割合に１／３が設定された場合は、丁合セットを３部作成するうちに１回だけ給紙するという動作を繰り返す。割合に６０％が設定された場合は、丁合セットを５部作成するうちに３回だけ給紙するという動作を繰り返す。
【００３３】
後述のＡ３５で広告名称を給紙部に割り当てたとき、Ａ２５、Ａ２６で設定した使用不使用設定、半端部数・割合設定の内容が、各地区の設定として自動で反映される。なお、Ａ２５、Ａ２６は省略（または一部の地区だけ設定）することができる。省略した場合は未設定状態（グレー無地）となる。その場合、Ａ３５で広告名称を給紙部に割り当てた後、Ａ８、Ａ９（後述）で使用不使用設定、半端部数・割合設定を設定する。
Ａ２７：各有効地区パターンについて、Ａ２３〜Ａ２６を繰り返す。
Ａ２８：設定が必要な広告名称の数だけ、Ａ２２〜Ａ２７を繰り返す。
【００３４】
（Ａ３）各給紙部への広告名称の割り当て（未割当の給紙部に割り当てる場合）
Ａ３１：図４のメイン画面１００または他の操作画面において地区タブ９２をタッチして、図５の地区設定画面１２０を表示させる。
Ａ３２：地区設定画面１２０の地区パターン表示欄１２１に表示されるＰ１〜Ｐ７の７つの地区パターンから地区パターンを選択する。
Ａ３３：棚設定一覧１２５をタッチして、図７の地区別使用不使用設定一覧画面１６０を表示させる。
Ａ３４：地区別使用不使用設定一覧画面１６０の広告名称表示欄１６１において、広告名称を割り当てる給紙部の広告名称表示枠をタッチする。すると、図８の広告名称割り当て画面１８０がポップアップ表示される。広告名称割り当て画面１８０のチラシ一覧１８１には、Ａ２で設定した広告名称が表示される。
Ａ３５：広告名称割り当て画面１８０においてチラシ一覧１８１の中から、Ａ３４でタッチした給紙部に積載した又はこれから積載する広告の広告名称を選んでタッチする。すると、Ａ３４でタッチした給紙部にその広告名称が割り当てられる。なお、Ａ２５、Ａ２６で設定した使用不使用設定、割合設定、半端部数設定内容も、Ａ３４でタッチした給紙部の各地区の設定に自動で反映される。また、Ａ３２で選択した地区パターンがＡ２２で設定した有効地区パターンではない場合、タッチしても割り当てできない。
Ａ３６：チラシ登録キー１８２をタッチすると、広告名称割り当て画面１８０が消えて図７の地区別使用不使用設定一覧画面１６０に戻る。
Ａ３７：割り当てが必要な広告名称の数だけ、Ａ３４〜Ａ３６を繰り返す。
Ａ３８：割り当てが必要な地区パターンの数だけ、Ａ３２〜Ａ３７を繰り返す。
【００３５】
（Ａ４）給紙部に割り当てられた広告名称の削除（解除）
Ａ４１：図４のメイン画面１００または他の操作画面において地区タブ９２をタッチして、図５の地区設定画面１２０を表示させる。
Ａ４２：地区設定画面１２０の地区パターン表示欄１２１に表示されるＰ１〜Ｐ７の７つの地区パターンから地区パターンを選択する。
Ａ４３：棚設定一覧１２５にタッチして、図７の地区別使用不使用設定一覧画面１６０を表示させる。
Ａ４４：地区別使用不使用設定一覧画面１６０の広告名称表示欄１６１において、広告名称を削除する給紙部の広告名称表示枠をタッチする。すると、図８の広告名称割り当て画面１８０がポップアップ表示される。
Ａ４５：解除キー１８３に長押タッチすると、図７の地区別使用不使用設定一覧画面１６０の広告名称表示欄１６１から、Ａ４４でタッチした広告名称表示枠から広告名称が削除（登録が解除）される。広告名称に紐付いて設定された使用不使用設定、割合設定、半端部数設定内容も削除される。なお、Ａ３５の後にＡ４５を行えば、Ａ３５で設定した広告名称を削除できる。
Ａ４６：チラシ登録キー１８２をタッチすると、広告名称割り当て画面１８０が消える。
【００３６】
（Ａ５）給紙部への広告名称の追加割り当て
すでに広告名称が割り当てられた給紙部に、さらに広告名称を追加割り当てする場合に実行される。１つの給紙部に２種以上の広告名称を割り当てることで、地区によって使い分けることができる。
Ａ５１：図４のメイン画面１００または他の操作画面において地区タブ９２をタッチして、図５の地区設定画面１２０を表示させる。
Ａ５２：地区設定画面１２０の地区パターン表示欄１２１に表示されるＰ１〜Ｐ７の７つの地区パターンから地区パターンを選択する。
Ａ５３：棚設定一覧１２５をタッチして、図７の地区別使用不使用設定一覧画面１６０を表示させる。
Ａ５４：地区別使用不使用設定一覧画面１６０の広告名称表示欄１６１において、広告名称を追加で割り当てる給紙部の広告名称表示枠をタッチする。すると、図８の広告名称割り当て画面１８０がポップアップ表示される。
Ａ５５：広告名称割り当て画面１８０において追加キー１８４をタッチする。
Ａ５６：チラシ一覧１８１の中から、追加割り当てする広告名称をタッチする。すると、Ａ５４でタッチした給紙部にその広告名称が追加で割り当てられる。また、図９の地区選択画面２００がポップアップ表示される。
【００３７】
Ａ５７：地区選択画面２００の地区表示欄２０１のいずれかの地区の表示枠にタッチする。タッチした表示枠の地区以降のすべての地区に、Ａ２５、Ａ２６で設定した使用不使用設定、割合設定、半端部数設定内容が反映される。すなわち、タッチした表示枠の地区よりも前の地区は、追加する以前から割り当てられていた広告名称を給紙し、タッチした地区以後は、追加した広告名称から給紙する、という設定となる。丁合処理時には、広告名称の切り替わりの際には「広告を載せ替えてください」などの警告が表示される。地区表示欄２０１の表示枠にタッチすると、地区選択画面２００が消えて図８の広告名称割り当て画面１８０に戻る。なお、地区選択画面２００において複数の地区をタッチ可能とし、タッチした地区にのみ広告名称が追加されるようにしてもよい。この場合、広告の追加を行う地区、行わない地区の選択の自由度が上がる。またこの場合、Ａ２５、Ａ２６で設定した使用不使用設定、割合設定、半端部数設定内容は、タッチした地区のみに適用される。Ａ３５の後に、Ａ５５〜Ａ５７を行えば、Ａ３５で広告名称を設定した給紙部に、さらに広告名称が追加される。
Ａ５８：Ａ５５〜Ａ５７を繰り返し、Ａ５４でタッチした給紙部に対して必要な追加を行う。
Ａ５９：チラシ登録キー１８２をタッチすると、広告名称割り当て画面１８０が消えて図７の地区別使用不使用設定一覧画面１６０に戻る。
Ａ６０：登録したい広告名称の数分だけ、Ａ５４〜Ａ５８を繰り返す。
Ａ６１：登録したい地区パターンの数だけ、Ａ５２〜Ａ６０を繰り返す。
【００３８】
（Ａ７）給紙部に追加で割り当てられた広告名称の削除
Ａ７１：図４のメイン画面１００または他の操作画面において地区タブ９２をタッチして、図５の地区設定画面１２０を表示させる。
Ａ７２：地区設定画面１２０の地区パターン表示欄１２１に表示されるＰ１〜Ｐ７の７つの地区パターンから地区パターンを選択する。
Ａ７３：棚設定一覧１２５にタッチして、図７の地区別使用不使用設定一覧画面１６０を表示させる。
Ａ７４：地区別使用不使用設定一覧画面１６０の広告名称表示欄１６１において、広告名称を削除したい給紙部の広告名称表示枠をタッチする。すると、図８の広告名称割り当て画面１８０がポップアップ表示される。
Ａ７５：チラシ削除キー１８５にタッチすると、追加した広告名称が削除される。Ａ５５〜Ａ５７で追加した広告名称が複数ある場合、後から追加した広告名称が削除される。なお、削除される広告名称を選択可能としてもよい。Ａ５５〜Ａ５７の後でＡ７５を行えば、Ａ５５〜Ａ５７で追加した広告名称が削除される。
Ａ７６：チラシ登録キー１８２をタッチすると、広告名称割り当て画面１８０が消える。
【００３９】
（Ａ８）使用不使用設定の変更および連段設定
Ａ８１：図４のメイン画面１００または他の操作画面において地区タブ９２をタッチして、図５の地区設定画面１２０を表示させる。
Ａ８２：地区設定画面１２０の地区パターン表示欄１２１に表示されるＰ１〜Ｐ７の７つの地区パターンから地区パターンを選択する。
Ａ８３：設定したい地区の棚設定枠１２６にタッチする。すると、図１０の地区別使用不使用設定画面２２０が表示され、選択した地区の使用不使用設定、半端部数設定、割合設定、広告名称設定が表示される。
Ａ８４：棚モード表示欄２２２の表示枠にタッチして使用不使用設定および連段設定を行う。「停」から１回タッチすると「単」に設定変更される。「単」から１回タッチした場合は、１段上の給紙部（棚）が「単」であれば１段上の給紙部とまとめて連段グループを形成し、１段上の給紙部が「停」であれば「停」に設定変更され、１段上の給紙部がそれよりもさらに上の給紙部と連段グループをすでに形成していた場合はその連段グループに加わる。なお、図７の地区別使用不使用設定一覧画面１６０の棚モード表示欄の表示枠をタッチすることにより、同様に設定できる。図１０の地区別使用不使用設定画面２２０が表示された状態で、図３に示すサブ操作部５２の使用不使用設定ボタン５４と、連段設定ボタン５６とを操作して、同様に設定できてもよい。
Ａ８５：他に設定が必要な地区がある場合は、地区番号表示枠２２１の矢印にタッチして地区を選択する。すると、選択した地区の使用不使用設定、半端部数設定、割合設定、広告名称設定が表示されるので、Ａ８４の設定を行う。
Ａ８６：戻るキー２２３をタッチすると、図５の地区設定画面１２０に戻る。
【００４０】
なお、Ａ８２において複数の地区パターンを選択してから、Ａ８３〜Ａ８５を行うことにより、選択した複数の地区パターンで同一の設定を一度に行えるようにしてもよい。
【００４１】
（Ａ９）半端部数設定および割合設定
Ａ９１：図４のメイン画面１００または他の操作画面において地区タブ９２をタッチして、図５の地区設定画面１２０を表示させる。
Ａ９２：地区設定画面１２０の地区パターン表示欄１２１に表示されるＰ１〜Ｐ７の７つの地区パターンから地区パターンを選択する。
Ａ９３：設定したい地区の棚設定枠１２６にタッチして、図１０の地区別使用不使用設定画面２２０を表示させる。
Ａ９４：地区番号表示枠２２１の矢印にタッチし、地区を選択する。すると、選択した地区の使用不使用設定、半端部数設定、割合設定、広告名称設定が表示される。
Ａ９５：設定対象の給紙部の半端部数・割合表示枠２２４にタッチする。すると、図１１の半端部数・割合設定画面２４０がポップアップ表示される。
Ａ９６：半端部数・割合設定画面２４０において、割合２４１、部数２４２、前半２４３、後半２４４のいずれかをタッチする。割合２４１をタッチした場合は、割合設定（任意の割合を入力）となる。部数２４２をタッチした場合は、割合設定（部数で設定）となる。前半２４３をタッチした場合、半端部数設定（地区の開始から設定部数まで給紙）となる。後半２４４をタッチした場合、半端部数設定（残数が設定部数に到達してから地区の終了まで給紙）となる。任意の割合の入力は、例えば百分率、小数、分数等の形で入力する。
Ａ９７：設定が必要な給紙部の数だけ、Ａ９５〜Ａ９６を繰り返す。
Ａ９８：閉じるボタン２４５にタッチすると半端部数・割合設定画面２４０が消えて図５の地区設定画面１２０に戻る。
【００４２】
（Ａ１０）丁合処理
Ａ１０１：図４のメイン画面１００または他の操作画面において地区タブ９２をタッチして、図５の地区設定画面１２０を表示させる。
Ａ１０２：地区設定画面１２０の地区パターン表示欄１２１に表示されるＰ１〜Ｐ７の７つの地区パターンから、丁合を実行する地区パターンを選択する。
Ａ１０３：メインタブ９１をタッチして、図４のメイン画面１００を表示させる。メイン画面１００の地区情報表示欄１０１には、地区設定画面１２０で選択された地区パターンに含まれる地区のうちの１つの地区とその要丁合部数が表示される。チラシ名欄１０２には、Ａ３、Ａ５で割り当てた広告名称が表示される。棚モード表示欄１０３には、Ａ３、Ａ５で割り当てた広告名称に対応して反映された、またはＡ８、Ａ９で設定あるいは修正された使用不使用設定、連段設定が表示される。半端部数・割合設定表示欄１０４には、Ａ３、Ａ５で割り当てた広告名称に対応して反映された、またはＡ８、Ａ９で設定あるいは修正された半端部数設定、割合設定が表示される。表示された地区とは別の地区の丁合を行う場合は、地区選択キー１０９にタッチして、別の地区を選択する。地区情報表示欄１０１には、選択された地区の地区情報が表示され、チラシ名欄１０２、棚モード表示欄１０３、半端部数・割合設定表示欄１０４には、上記と同様に選択された地区に設定された情報が表示される。
Ａ１０４：アウトキー１０５をタッチすると、地区の要丁合部数がカウンター１０６に入力される。
【００４３】
Ａ１０５：スタート操作を行うと、カウンター１０６に表示された要丁合部数、棚モード表示欄１０３に表示された使用不使用設定、連段設定、半端部数・割合設定表示欄１０４に表示された半端部数設定、割合設定を含む丁合処理の実行指示が制御部７０に送られる。制御部７０は、丁合処理の実行指示に含まれる情報にしたがって、各給紙部に給紙させる。すなわち、Ａ２において使用不使用設定、半端部数・割合設定とともに登録された広告名称（用紙識別情報）がＡ３またはＡ５で割り当てられた給紙部には、Ａ８またはＡ９で設定が変更されていない限りは、割り当てられた広告名称に対応して記憶されている（Ａ２において設定した）使用不使用設定、半端部数・割合設定の通りに給紙がなされる。なお、丁合処理中にストップ操作を行って丁合処理を停止させ、使用不使用、連段設定、半端部数、割合の設定または取り消し、広告名称の変更を行うことができる。再度スタート操作を行うと、丁合処理が再開される。なおストップ操作を行うことなく、丁合処理を継続しながら使用不使用設定の変更が可能であってもよい。この場合、変更した瞬間以降は、変更後の設定で動作する。
Ａ１０６：丁合するたびにカウンター１０６の上段の残り部数が減算し、残り部数が０になると丁合処理が停止する。つまり、要丁合部数の丁合セットを作成すると、丁合処理が停止する。地区情報表示欄１０１には、次の地区の地区名と要丁合部数が表示される。なお、丁合処理中にストップ操作を行って丁合処理を停止させ、カウンタリセットキー１０８をタッチして残り部数を「０」にすることにより、実行中の丁合処理すなわち地区情報表示欄１０１に表示されている地区の丁合処理を停止（終了）させることができる。地区情報表示欄１０１には、次の地区の地区名と要丁合部数が表示される。つまり、本実施の形態では、カウンタリセットキー１０８をタッチして残り部数を「０」にする操作は、丁合処理を中止させる「中止指示」を入力する操作となる。
Ａ１０７：丁合が必要な地区の数分だけ、Ａ１０４〜Ａ１０６を繰り返す。表示されている地区が次に丁合したい地区とは異なる場合、その都度、地区選択キー１０９によって地区を選択すれば、選択した地区の丁合を行うことができる。
【００４４】
＜部数指定カウンタモード＞
部数指定カウンタモードでは、要丁合部数を設定し、スタート操作を行うと丁合処理が開始され、設定された要丁合部数だけ丁合セットを作成して停止する。以下、部数指定カウンタモードで動作させる場合の操作（Ｂ１〜Ｂ４）について説明する。
【００４５】
（Ｂ１）給紙部への広告名称の割り当て（未割当の給紙部に割り当てる場合）
Ｂ１１：図４のメイン画面１００または他の操作画面において棚タブ９３をタッチして図１３の棚設定画面２８０を表示させる。
Ｂ１２：広告名称表示枠２８１をタッチすると、図８の広告名称割り当て画面１８０がポップアップ表示される。チラシ一覧１８１には、Ａ２で設定した広告名称が表示される。
Ｂ１３：Ａ３５〜Ａ３７と同様にして広告名称を割り当てる。なお、予めＡ２５、Ａ２６で設定した使用不使用設定、割合設定、半端部数設定内容は反映されない。なお、予めＡ２５、Ａ２６において各地区に設定した各地区の使用不使用設定、割合設定、半端部数設定内容の中から１つを選択し、選択した地区の設定が反映されるようにしてもよい。
【００４６】
なお、Ａ４と同様に広告名称を削除できる。また、Ａ５と同様に同一給紙部に広告名称を追加できる。ただしＡ２５、Ａ２６で設定した使用不使用設定、割合設定、半端部数設定内容は反映されない（ある１つの地区に対する設定を選択して反映させてもよい）。また、Ａ７と同様に追加した広告名称を削除できる。
【００４７】
（Ｂ２）使用不使用設定の変更および連段設定
Ｂ２１：図１３の棚設定画面２８０において棚モード表示欄２８２の表示枠をタッチして使用不使用設定、連段設定を行う。なお、棚モード表示欄２８２をタッチした場合の動作は、図１０の地区別使用不使用設定画面２２０の棚モード表示欄２２２の表示枠をタッチした場合の動作（Ａ８４参照）と同様である。
【００４８】
（Ｂ３）半端部数・割合設定
Ｂ３１：図１３の棚設定画面２８０において、設定対象の給紙部の半端部数・割合設定表示枠２８３にタッチする。すると、図１１の半端部数・割合設定画面２４０がポップアップ表示される。
Ｂ３２：Ａ９６〜Ａ９７と同様にして設定する。
Ｂ３３：閉じるボタン２４５にタッチすると半端部数・割合設定画面２４０が消えて棚設定画面２８０に戻る。
【００４９】
（Ｂ４）丁合処理
Ｂ４１：いずれかの操作画面においてメインタブ９１をタッチして図４のメイン画面１００を表示させる。チラシ名欄１０２には、Ｂ１で割り当てた広告名称が表示される。棚モード表示欄１０３には、Ｂ２で設定された使用不使用設定、連段設定が表示される。半端部数・割合設定表示欄１０４には、Ｂ３で設定された半端部数設定、割合設定が表示される。
Ｂ４２：入力キー１０７をタッチしてテンキー（不図示）を表示させ、カウンター１０６に要丁合部数を入力する。
Ｂ４４：スタート操作を行うと、カウンター１０６に表示された要丁合部数、棚モード表示欄１０３に表示された使用不使用設定、連段設定、半端部数・割合設定表示欄１０４に表示された半端部数設定、割合設定を含む丁合処理の実行指示が制御部７０に送られる。制御部７０は、丁合処理の実行指示に含まれる情報にしたがって、各給紙部に給紙させる。Ｂ１３において広告名称を割り当てたとき、その広告名称に対応づけて記憶されている各地区の使用不使用設定、割合設定、半端部数設定内容の中から１つを選択し、選択した地区の設定が反映されるようにした場合は、反映された使用不使用設定、割合設定、半端部数設定内容の通りに給紙がなされる。なお、丁合処理中にストップ操作を行って丁合処理を停止させ、使用不使用設定、連段設定、半端部数、割合の設定または取り消し、広告名称の変更を行うことができる。再度スタート操作を行うと、丁合処理が再開される。使用不使用設定の変更は、ストップ操作を行うことなく、動作中に可能であってもよい。
Ｂ４５：丁合するたびにカウンターが減算し、０になったらストップする。つまり、カウンター１０６に入力された要丁合部数の丁合セットを作成すると、丁合処理が停止する。なお、丁合処理中にストップ操作を行って丁合処理を停止させ、カウンタリセットキー１０８をタッチして残り部数を「０」にすることにより、実行中の丁合処理を停止（終了）させることができる。
【００５０】
＜部数無指定カウンタモード＞
部数無指定カウンタモードでは、要丁合部数が設定されていない（すなわち要丁合部数がゼロ）の状態でスタート操作を行うと丁合処理が開始され、所望の丁合セットが作成されたらストップ操作を行い、丁合処理を停止させる。以下、部数無指定カウンタモードで動作させる場合の操作（Ｃ１〜Ｃ４）について説明する。
【００５１】
（Ｃ１）給紙部への広告名称の割り当て（未割当の給紙部に割り当てる場合）
Ｃ１１：Ｂ１と同様に割り当てる。
【００５２】
（Ｃ２）使用不使用設定の変更及び連段設定
Ｃ２１：Ｂ２と同様に設定する。
【００５３】
（Ｃ３）半端部数・割合設定
Ｃ３１：Ｂ３と同様に設定する。
【００５４】
（Ｃ４）丁合動作
Ｃ４１：いずれかの操作画面においてメインタブ９１タブをタッチして図４のメイン画面１００を表示させる。チラシ名欄１０２には、Ｃ１で割り当てた広告名称が表示される。棚モード表示欄１０３には、Ｃ２で設定された使用不使用設定、連段設定が表示される。半端部数・割合設定表示欄１０４には、Ｃ３で設定された半端部数設定、割合設定が表示される。
Ｃ４２：カウンター１０６に数値が入っている場合は、カウンタリセットキー１０８をタッチしてカウンター１０６を「０」にする。
Ｃ４３：スタート操作を行うと、棚モード表示欄１０３に表示された使用不使用設定、連段設定、半端部数・割合設定表示欄１０４に表示された半端部数設定、割合設定を含む丁合処理の実行指示が制御部７０に送られる。制御部７０は、丁合処理の実行指示に含まれる情報にしたがって、各給紙部に給紙させる。なお、丁合処理中にストップ操作を行って丁合処理を停止させ、使用不使用設定、連段設定、半端部数、割合の設定または取り消し、広告名称の変更を行うことができる。再度スタート操作を行うと、丁合処理が再開される。
Ｃ４４：所望の部数の丁合セットが作成されたら、ストップ操作を行う。
Ｃ４５：カウンタリセットキー１０８をタッチしてカウンター１０６を「０」にする。
【００５５】
ユーザの所定の操作により、地区カウンタモードとするか否かを設定できる。地区カウンタモードを使用する設定にすると、地区カウンタモードとなる。地区カウンタモードを使用しない設定にし、カウンター１０６をゼロとしてスタート操作を行うと、部数無指定カウンタモードとなる。カウンター１０６にゼロではない数値を設定してスタート操作を行うと、部数指定カウンタモードとなる。地区カウンタモードを使用しないと設定した場合は、図４に示すメイン画面は、地区情報表示欄１０１およびアウトキー１０５を表示しない。
【００５６】
図１４は、制御部７０の機能構成を示すブロック図である。これら各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００５７】
制御部７０は、入力部７１と、給紙制御部７２と、搬送制御部７３と、挟み制御部７４と、排出制御部７５と、出力制御部７６と、記憶部７７を含む。
【００５８】
入力部７１は、ユーザが入力した情報を、メイン操作部５０やサブ操作部５２を介して受け付ける。例えば、入力部７１は、図４〜１３の操作画面に入力・選択入力された情報、すなわち操作画面で設定された情報を受け付ける。具体的には、入力部７１は、丁合処理の実行指示、丁合処理の中止指示、半端部数、割合、広告名称の割り当て、の入力を受け付ける。また例えば、入力部７１は、図１５で後述するログ画面に入力・選択入力された情報を受け付ける。具体的には、入力部７１は、日付の入力を受け付ける。
【００５９】
給紙制御部７２は、使用不使用設定、連段設定、半端部数・割合設定等にしたがって、給紙部１４が用紙を送り出すよう制御する。給紙制御部７２は特に、給紙部１４から送り出された用紙がメイン搬送機構３６において重なり合うようなタイミング用紙を送り出す。
【００６０】
搬送制御部７３は、サブ搬送機構３４およびメイン搬送機構３６による用紙の搬送を制御する。挟み制御部７４は、挟み用給紙部１６と、挟み部２０と、を制御する。具体的には、挟み制御部７４は、メイン搬送機構３６によって搬送される丁合セットが挟み部２０に到達する前に、挟み用紙がメイン搬送機構３６の下方に位置するよう挟み用給紙部１６に給紙させる。また、挟み制御部７４は、メイン搬送機構３６によって搬送されてきた丁合セットが挟み用紙に突き当たるタイミングで折りナイフ４２を下降させる。排出制御部７５は、排出部２２による丁合セットの排出を制御して、作成された丁合セットを積載部２４に積載させる。
【００６１】
記憶部７７は、予め用意された各種の設定情報や、入力部が受け付けた情報を記憶する。例えば、記憶部７７は、図８の各種広告名称（すなわち図１２を介して入力された広告名称）を記憶する。また例えば、図９の地区名称（すなわち図５を介して入力された地区名称広告名称）を記憶する。また例えば、記憶部７７は、図１２の各情報項目、すなわち広告名称、有効地区パターン、各地区の使用不使用設定、および各地区の半端部数・割合設定を対応付けて記憶する。
【００６２】
また、記憶部７７は、同一の給紙設定（使用不使用設定、連段設定、半端部数・割合設定）に基づいて丁合セットを作成する一連の丁合処理ごとに、各給紙部の使用不使用設定、連段設定、給紙部に割り当てられた広告名称および半端部数・割合設定と、作成された丁合セットの部数とに関する情報（以下、「丁合実績情報」と呼ぶ）を記憶する。
【００６３】
出力制御部７６は、各種画面をメイン操作部５０の表示部に表示（出力）させる。例えば、出力制御部７６は、図４〜１３の各種の操作画面をメイン操作部５０の表示部に表示（出力）させる。また例えば、出力制御部７６は、丁合実績情報を示すログ画面（図１５で後述）をメイン操作部５０の表示部に表示（出力）させる。なお、出力制御部７６は、プリンタなどの印刷機器に丁合実績情報を出力して印刷させたり、ＰＣ、タブレットなどの端末装置に丁合実績情報を含むファイルを出力してもよい。要するに、出力制御部７６は、ユーザが丁合実績情報を認識できる形に出力する。
【００６４】
図１５は、メイン操作部５０の表示部に表示されるログ画面３００を示す。ログ画面３００は、いずれかの操作画面において丁合ログタブ９５をタッチすることにより表示される。丁合実績表示欄３０１には、本実施の形態では、１日分の丁合実績情報が表示される。日付表示枠３０２には、丁合実績表示欄３０１に表示されている丁合実績情報の日付が表示される。図１５では、丁合実績表示欄３０１には、日付表示枠３０２に表示されている「２０１６／３／１５」の丁合実績情報が表示される。日付表示枠３０２をタッチするとカレンダが表示され、丁合実績情報を表示させたい日付を選択できる。日付表示枠３０２に表示される日付が変更されると、出力制御部７６は日付表示枠３０２に表示される新たな日付の丁合実績情報を記憶部７７から抽出して、丁合実績表示欄３０１に表示する。
【００６５】
図１６、１７は、ログ画面３００の丁合実績表示欄３０１に表示される丁合実績情報の一例を示す。図１６は履歴番号が１〜１０までの丁合実績情報を示し、図１７は履歴番号が１１〜１９までの丁合実績情報を示す。履歴番号表示欄３１０には、丁合実績情報を、一日の中で一意に識別する番号である履歴番号が表示される。処理数表示欄３１１には、作成された丁合セットの部数が表示される。トータルカウンタ表示欄３１２には、作成された丁合セットの累積部数が表示される。地区パターン表示欄３１３には、地区カウンタモードで動作させたときに選択された地区パターンが表示される。地区番号表示欄３１４には、地区カウンタモードで丁合セットを作成した地区の地区番号が表示される。広告名称表示欄３１５には、丁合セットが作成されたときに各給紙部１４に割り当てられていた広告名称（すなわち各給紙部１４に積載されていたであろう広告の広告名称）が表示される。使用不使用表示欄３１６には、丁合セットが作成されたときの使用不使用設定が表示される。
【００６６】
ここで、記憶部７７は、基本的には、丁合処理の実行指示ごとに丁合実績情報を記憶する。したがって、出力制御部７６は、基本的には、丁合処理の実行指示ごとに丁合実績情報を出力する。ただし、丁合処理の途中で給紙に関する追加、変更、削除された場合は、記憶部７７はその丁合処理の丁合実績情報を複数に分けて記憶し、出力制御部７６もその丁合実績情報を複数に分けて出力する。このとき、出力制御部７６は、丁合実績情報を分けて出力する原因をも表示する。図１６、１７を参照しつつ、具体的に説明する。
【００６７】
（１）丁合処理の実行中に使用不使用設定を変更した場合
丁合処理の実行中に、すなわち地区カウンタモード、部数指定カウンタモードでは残り部数が「０」なる前、部数無指定カウンタモードではカウンタリセットキー１０８でカウンター１０６を「０」にリセットする前に、装置を停止し、使用不使用設定を変更できる。変更作業は、図３に示すサブ操作部５２において、使用不使用設定ボタン５４を操作することにより行う。あるいはメイン操作部５４の表示部に現時点で行っている丁合作業における各給紙部の使用不使用設定状況を表示し、その画面を操作することにより変更が可能であってもよい。この場合、記憶部７７は、変更以前と変更以降で丁合実績情報を分けて記憶する。また、丁合処理の実行中の使用不使用設定の変更を、所定部数の丁合が完了した時点で行うように、丁合開始前にあらかじめ設定できるようにしてもよい。また、記憶部７７は、予めの設定で使用不使用設定を変更した場合も、同様に変更以前と変更以降で丁合実績を分けて記憶する。
【００６８】
図１６、１７の例では、９段目の給紙部の使用不使用設定が「単」から「停（変更）」に変更されたため、履歴番号３、４の丁合処理実績が分けて表示されている。また、１２段目の給紙部の使用不使用設定が「単（割合設定）」から「停」に変更されたため、履歴番号１４、１５の丁合実績が分けて表示されている。また、１５段目の給紙部の使用不使用設定が予め指定された部数の丁合が完了して「単」から「停（変更）」に変更されたため、履歴番号８、９の丁合処理実績が分けて表示されている。このように、使用不使用設定が丁合処理の実行中に変更されたものか、丁合処理の実行中に変更されるように予め設定されていたかに関わらず、分けて表示する。
【００６９】
（２）丁合処理の実行中に連段設定を変更した場合
丁合処理の実行中に装置を停止させ、連段設定を変更できる。変更作業は、図３に示すサブ操作部５２において、連段設定ボタン５６を操作することにより行う。あるいはメイン操作部５４の表示部に現時点での連段設定状況を表示し、その画面を操作することにより変更が可能であってもよい。この場合、記憶部７７は、変更以前と変更以降で丁合実績情報を分けて記憶する。
【００７０】
図１６、１７の例では、例えば、２段目の給紙部の使用不使用が「連」から「単（連段解除）」に変更され、１段目の給紙部の使用不使用が「連」から「停」に変更されたため、すなわち１段目、２段目の給紙部の連段設定が解除されたため、履歴番号１７、１８の丁合実績情報が分けて表示されている。なお、丁合処理の実行中の連段設定の変更が、丁合処理の開始前に予め設定できるようになっていてもよく、その場合も変更前と変更後の丁合実績情報は分けて表示される。
【００７１】
（３）紙無し非停止設定がなされている給紙部において紙無しが発生した場合
丁合処理の実行中に、紙なし非停止設定がなされている給紙部において紙無しが検知された場合、その後は紙無しとなった給紙部からは給紙せず（すなわち紙無しが検知された給紙部の使用不使用設定は「停」に変更され）、その他の給紙部からは給紙が継続される。この場合、紙無しが検知される以前と以降で丁合実績情報を分けて記憶する。
【００７２】
図１６、１７の例では、２段目の給紙部で紙無しが検知されて使用不使用設定が自動で「単」から「停（紙無自動）」に変更されたため、履歴番号６、７の丁合実績情報が分けて表示されている。また、６段目の給紙部で紙無しが検知されて使用不使用設定が自動で「単」から「停（紙無自動）」に変更されたため、履歴番号１１、１２の丁合実績情報が分けて表示されている。紙なし非停止設定は、図３における使用不使用設定ボタン５４および連段設定ボタン５６の両方を実質的に同時に長押しすることによって行うが、この作業は丁合処理の実行中に、いったん丁合処理を停止させて行ってもよいし、丁合動作中に行ってもよい。いずれの場合も、停止前後の丁合実績情報は分けて表示される。
【００７３】
（４）半端部数設定を行った場合
半端部数設定がなされた給紙部がある場合、記憶部７７は、半端部数を設定した給紙部から給紙している間と、給紙していない間とで丁合実績情報を分けて記憶する。
【００７４】
図１６、１７の例では、４段目の給紙部が前半設定の半端部数分の給紙をしたことにより使用不使用設定が自動で「単」から「停（半端設定）」に変更されたため、履歴番号４、５の丁合実績情報が分けて表示されている。また、４段目の給紙部が後半設定の半端部数分の給紙を開始したことにより使用不使用設定が自動で「停」から「単（半端設定）」に変更されたため、履歴番号１０、１１の丁合実績情報が分けて表示されている。
【００７５】
（５）丁合処理の実行中に給紙部に割り当てられる広告名称（すなわち用紙識別情報）が変更された場合
丁合処理の実行中に丁合処理を停止させ、給紙部ごとに割り当てられる広告名称を変更できる。例えば、給紙部に積載されている用紙（広告）を、丁合処理の実行中に別の種類の用紙に載せ替える場合などにこの変更を行う。この場合、記憶部７７は、その変更以前と変更以降とで、丁合実績情報を分けて記憶する。
【００７６】
図１６、１７の例では、２段目の給紙部に割り当てられる広告名称が「スーパーＬ」から「ラーメンＱ」に変更されたため、履歴番号１、２の丁合実績情報が分けて表示されている。また、１１段目の給紙部に割り当てられる広告名称が未割り当てから「回転寿司Ｒ」に変更されたため、履歴番号９、１０の丁合実績情報が分けて表示されている。なお丁合処理の実行中の広告名称の変更が、丁合処理の開始前に予め設定できるようになっていてもよく、その場合も変更前と変更後の丁合実績は分けて表示される。
【００７７】
（６）地区カウンタモードにおいて、広告名称を１つの地区の１つの給紙部に２種設定した場合
１つの地区の丁合処理の実行中に、積載する広告を変更したい場合、２種の広告名称を割り当て、区切りとなる部数を予め設定する。この場合、区切りとなる部数の丁合が完了すると、装置が停止し、「○段目の広告を△△から××に載せ替えてください」等、用紙（広告）の載せ替えを促すメッセージが表示される。載せ替えが完了し、所定の再開操作がなされると、残りの丁合を行う。この場合、記憶部７７は、区切り部数より前と後で丁合実績情報を分けて記憶する。
【００７８】
図１６、１７の例では、１４段目の給紙部に割り当てられる広告名が、予め設定された通り、「Ｄ電機」から「Ｎ不動産」に変更されたため、履歴番号５、６の丁合実績情報が分けて表示されている。
【００７９】
（７）動作モードが変更された場合
地区カウンタモードでの丁合開始前か終了後、あるいは地区と地区の間で、地区カウンタモードを使用しない設定とし、部数指定カウンタモードあるいは部数無指定カウンタモードで丁合を行った場合も、記憶部７７は、その丁合実績情報は、地区カウンタモードでの丁合実績と分けて記憶する。
【００８０】
図１６、１７の例では、地区カウンタモードでの丁合終了後、部数指定カウンタモードないしは部数無指定カウンタモードで丁合を開始したため、履歴番号１５、１６の丁合実績情報が分けて表示されている。
【００８１】
なお、挟み用給紙部１６から給紙される挟み用紙については、２つ折りして、他の給紙部１４から送り出された丁合セットを挟み込むという性質上、上記のうち、（１）〜（４）は存在しない（設定ができない）。
【００８２】
以上説明した本実施の形態に係る丁合装置１０によれば、丁合処理の実行指示ごと、かつ、同一の使用不使用設定ごとに分けて丁合実績情報を出力され、さらに、丁合処理の途中で給紙に関する追加、変更、削除等された場合にも、その前後で丁合実績情報を分けて出力される。したがって、特定の用紙がどの丁合セットに含まれるか容易に把握できる。
【００８３】
以上、実施の形態に係る丁合装置について説明した。この実施の形態は例示であり、各構成要素の組み合わせにいろいろな変形例が可能なこと、またそうした変形例も本発明の範囲にあることは当業者に理解されるところである。以下、変形例を示す。
【００８４】
（変形例１）
実施の形態では、基本的には、丁合処理の実行指示ごと、かつ、同一の使用不使用設定ごとに分けて丁合実績情報を出力し、さらに、丁合処理の途中で給紙に関する追加、変更、削除等された場合にも、その前後で丁合実績情報を分けて出力する場合について説明したが、これに限られない。出力制御部７６は、少なくとも同一の使用不使用設定に基づく一連の丁合処理ごとに丁合実績情報を出力してもよい。少なくとも、同一の使用不使用設定ごとに、それぞれの設定で実際に何部の丁合セットが作成されたかが出力されれば、地区ごとに作成された丁合セットの部数や広告名称等は、メモ書き等で残しておけば確認できる。
【００８５】
（変形例２）
本変形例では、丁合装置１０の電源を投入したときに、制御部７０は各給紙部１４の用紙有無検知センサ２７の検知結果を取得する。丁合装置１０は、電源を投入すると、部数指定カウンタモードとなり、制御部７０は、用紙有無検知センサ２７の検知結果が「用紙あり」の給紙部には使用不使用設定に「単」を設定し、検知結果が「用紙無し」の給紙部には使用不使用設定に「停」を設定する。以下、電源投入時の用紙有無検知センサ２７の検知結果に基づいて給紙部の使用不使用設定を行うことを「自動設定」と呼ぶ。
【００８６】
また、制御部７０は、一定時間（例えば１０秒）ごとに各給紙部１４の用紙有無検知センサ２７の検知結果を取得する。制御部７０は、用紙が積載されて検知結果が「用紙無し」から「用紙あり」に変化すると、使用不使用設定を「停」から「単」に変更し、用紙が取り除かれて検知結果が「用紙あり」から「用紙無し」に変化すると、使用不使用設定を「単」から「停」に変更する。以下、用紙有無検知センサ２７の検知結果の変化に基づいて給紙部の使用不使用設定を変更することを「自動変更」と呼ぶ。なお、制御部７０は、自動変更が可能な状態のときには、その旨をメイン操作部５０の表示部に表示してもよい。
【００８７】
メイン操作部５０の表示部に表示される操作画面を介して、使用不使用設定、連段設定を行うこともできる。すなわち自動設定された使用不使用設定を変更することもできる。また、半端部数・割合設定を設定してもよい。所定操作で部数無指定カウンタモードに切り替えることもできる。
【００８８】
また、所定操作で地区カウンタモードに切り替えることもできる。この場合、予め各地区に対して設定された使用不使用設定が各地区の丁合処理を実行するときに呼び出され、自動設定された使用不使用設定が上書きされる。またこの場合、自動変更も受け付けない。
【００８９】
地区カウンタモードの場合でも、すべての給紙部の使用不使用設定がなされていない地区については、自動設定、自動変更を行ってもよい。この場合、その地区に移行したときに自動設定が行われ、自動変更も可能な状態となる。ただし、Ａ５の操作により少なくとも１つの給紙部に広告名称を割り当てたときは、予めＡ２５、Ａ２６で設定した使用不使用設定、半端部数・割合設定が上書き反映される。
【００９０】
部数指定カウンタモード、部数無指定カウンタモード、地区カウンタモードのいずれの場合でも、手動で使用不使用設定を変更した場合は、その後は自動変更を受け付けないようにしてもよい。手動で設定したにもかかわらず、意図せず変更されるのを防ぐことができる。
【００９１】
丁合処理の開始後は、原則、自動変更を受け付けない。ただし、丁合処理の停止中は、所定のユーザ操作により自動変更を可能としてもよい。
【００９２】
また電源投入時に、自動設定、自動変更がなされる第１モード、用紙の積載の有無に関係なくすべての給紙部の使用不使用設定が「停」または未設定になる第２モード、前回電源切断時の使用不使用設定となる第３モード、のいずれのモードで動作させるか選択できるようにしてもよい。
【００９３】
上述した実施の形態同士の組み合わせや上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。
【符号の説明】
【００９４】
１０  丁合装置、  １４  給紙部、  ７０  制御部、  ７１  入力部、  ７６  出力制御部、  ３００  ログ画面。
【図１】
2017178518.tif 000003
【図２】
2017178518.tif 000004
【図３】
2017178518.tif 000005
【図４】
2017178518.tif 000006
【図５】
2017178518.tif 000007
【図６】
2017178518.tif 000008
【図７】
2017178518.tif 000009
【図８】
2017178518.tif 000010
【図９】
2017178518.tif 000011
【図１０】
2017178518.tif 000012
【図１１】
2017178518.tif 000013
【図１２】
2017178518.tif 000014
【図１３】
2017178518.tif 000015
【図１４】
2017178518.tif 000016
【図１５】
2017178518.tif 000017
【図１６】
2017178518.tif 000018
【図１７】
2017178518.tif 000019